(57)【要約】【課題】            光源の寿命や光源の清掃等に際して、光源の脱着作業を容易且つ安全に行うことができ、また美観を維持することができる照明器具を提供することを課題とする。【解決手段】        箱型の照明器具本体１１の内部に装着してなる直管型の光源と、照明器具本体の内壁に設けた係止具１１に係合支持し、且つ光源の下面を覆って配置してなる遮光板１３を有して構成してある。また係止具１１は傾斜面１２を有し、また遮光板１３は上端に、係止具１１の傾斜面と同じ角度の案内面１４と、傾斜面の適所に構成した係止空孔１５を有して構成してある。さらに遮光板１３の長手方向の内端は、光源の内端と同一か僅かに突出して構成してある。【選択図】          図１
2006140069.tif 000002
【特許請求の範囲】
【請求項１】
箱型の照明器具本体の内部に装着してなる直管型の光源と、照明器具本体の内壁に設けた係止具に係合支持し、且つ光源の下面を覆って配置してなる遮光板を有し、同係止具は傾斜面を有し、また遮光板は上端に、係止具の傾斜面と同じ角度の案内面と、傾斜面の適所に構成した係止空孔を有し、さらに遮光板の長手方向の内端は、光源の内端と同一か僅かに突出して構成したことを特徴とする照明器具。
【請求項２】
係止具の傾斜面に沿って、遮光板が上昇し、遮光板の係止空孔に係止具が嵌着されるように構成したことを特徴とする請求項１記載の照明器具。
【請求項３】
遮光板は引き紐により、照明器具本体の内部に、仮止めされ、遮光板を係止具から係脱した状態で光源を着脱するように構成したことを特徴とする請求項１及び請求項２記載の照明器具。
【発明の詳細な説明】
【技術分野】
【０００１】
本発明は直遮光を遮光する照明器具の改良に関する。
【背景技術】
【０００２】
従来、照明器具の光源からの直射光によるグレアをカットするために、多数の技術が提案されている。例えば道路照明器具としては、特許文献１に記載されているように、照明器具本体の内部に反射板を配置し、同反射板の内部空間に位置して光源を装着して構成してある。また照明器具本体の下端で且つ光源の下側に位置して前面ガラスを設け、同前面ガラスの内部の上面に、遮蔽板とルーバを設けて構成してある。（特許文献１）
また特許文献２に記載されているように、箱型の照明器具本体の内部に直管型の蛍光ランプを装着し、同蛍光ランプの下面にルーバを設け、光源からの直射光によるグレアをカットすることが実施されている。
【０００３】
【特許文献１】特開２００１−２２９７０６
【特許文献２】特開平１０−２４１４３６
【発明の開示】
【発明が解決しようとする課題】
【０００４】
ところで、上記の照明器具において、光源の寿命や光源の清掃等に際しては、前面ガラス、遮蔽板、ルーバを取り外して、光源を脱着する必要があり作業に手数を要する欠点がある。また近年の照明器具は薄型化が進み、光源の脱着作業が難しくなる傾向にある。さらに、遮蔽板やルーバが照明器具本体の外部に突出し、美観を損ない易い欠点がある。
【０００５】
本発明は上記の諸点に鑑み発明したものであって、光源の寿命や光源の清掃等に際して、光源の脱着作業を安全且つ容易に行うことができ、また照明器具の美観を維持できる照明器具を提供することを目的とする。
【課題を解決するための手段】
【０００６】
請求項１に記載の本発明は、上記した課題を解決するために、箱型の照明器具本体の内部に装着してなる直管型の光源と、照明器具本体の内壁に設けた係止具に係合支持し、且つ光源の下面を覆って配置してなる遮光板を有して構成してある。
そして係止具は傾斜面を有し、また遮光板は上端に、係止具の傾斜面と同じ角度の案内面と、傾斜面の適所に構成した係止空孔を有し、さらに遮光板の長手方向の内端は、光源の内端と同一か僅かに突出して構成してある。
【０００７】
請求項２に記載の本発明は、請求項１に記載の照明器具における係止具の傾斜面に沿って、遮光板が上昇し、遮光板の係止空孔に係止具が嵌着されるように構成してある。
【０００８】
請求項３に記載の本発明は、請求項１及び請求項２に記載の照明器具における遮光板は引き紐により、照明器具本体の内部に、仮止めされ、遮光板を係止具から係脱した状態で光源を着脱するように構成してある。
【発明の効果】
【０００９】
上記した請求項１乃至請求項３に記載の照明器具によると、光源の寿命や光源の清掃等に際して、光源の脱着作業を容易で且つ安全に行うことができ、さらに照明器具の美観を維持することができる特別な効果がある。
【発明を実施するための最良の形態】
【００１０】
次に本発明の最良の形態を図１乃至図４について説明する。
【実施例１】
【００１１】
図１乃至図３は本発明にかかる照明器具の側面図で、光源の着脱に際しての遮光板の位置関係を示す。図４は本発明にかかる照明器具の外観図である。図１乃至図４において、１は箱型の照明器具本体、２は照明器具本体１の内部の隅部に固定してなる電子安定器、３は端子台である。４は照明器具本体１の内壁に設けてなる一対のソケットである。同ソケット４は照明器具の大きさにより複数対配置する構造もある。また同ソケットには、例えば２５φ乃至３２φの直管型蛍光ランプを装着する。５は照明器具本体１の内部で、電子安定器２を覆って配置してなる反射板である。同反射板５は例えば鉄板の表面に白色塗装を施して構成してある。
【００１２】
１１は照明器具本体１の内壁に設けた係止具であって、下端から内部上方に向って傾斜面１２を有して構成してある。また同係止具１１は照明器具本体１の内壁に１００ｃｍ程度の間隔を有して複数個固定してある。１３は遮光板であって、光源の下面を覆って構成してある。また同遮光板１３は上端に、係止具１１の傾斜面１２と同じ角度の案内面１４を有して構成してある。また同案内面１４には係止空孔１５を有して構成してある。また同遮光板１３の内部先端には折曲片１６を一体的に構成してある。さらに遮光板の長手方向の内端は、光源の内端と同一か僅かに突出して構成してある。遮光板の長手方向の内端を光源と同一か僅かに突出して構成すると、光源は外部から視認されず美観を維持でき、さらに光源からの光を効果的に利用することができる。特に本発明に係る照明器具によると、例えば建物の通路の隅部に配置し、間接照明として利用すると利用価値が大きい。
【００１３】
２１は引き紐であって、遮光板１３に一端を結び、他端を照明器具本体１の内壁に結んで構成してある。引き紐２１は例えば２箇所に設ける。
【００１４】
次に光源を脱着する際の遮光板１３の動きについて説明する。
（１）図１は遮光板１３が係止具１１に嵌着され、遮光板１３が照明器具本体１に支持された状態を示す。光源の寿命や光源の清掃等に際して、光源のソケットから取り外すには、先ず遮光板１３を図１の状態から図２の状態に若干上方に持ち上げ、係止具１１から遮光板１３を取り外し、図３の状態にする。この段階で光源をソケットから取り外し、光源の交換や清掃を行う。このとき遮光板１３は引き紐２１で照明器具本体１に支持されているので安全に作業を行うことができ、また作業者の手が入るスペースを確保し得るので作業を容易に行うことができる。
（２）光源の交換あるいは光源の清掃作業終了後、遮光板１３を係止具１１に嵌着し、照明器具本体１に支持するには、先ず遮光板１３を係止具１１の傾斜面１２に沿って押し上げる。そして遮光板１３の案内面１４に構成された係止空孔１５に係止具１１が嵌着されると、遮光板１３は照明器具本体１の所定の個所に支持される。
また遮光板１３は照明器具本体１の下端より突出しない構造とすると、美観を損なうことなく、遮光板１３と反射板５の間から光が照射され、間接照明として利用価値が大きい。
【図面の簡単な説明】
【００１５】
【図１】本発明に係る照明器具の遮光板が照明器具本体に支持されたときの側面図。
【図２】本発明に係る照明器具の遮光板を照明器具本体に支持するときの側面図。
【図３】本発明に係る照明器具の光源を交換するときの段階を示す側面図。
【図４】本発明に係る照明器具の一部拡大斜視図。
【符号の説明】
【００１６】
１  照明器具本体
２  電子安定器
３  端子台
４  ソケット
５  反射板
１１  係止具
１２  傾斜面
１３  遮光板
１４  案内面
１５  係止空孔
１６  折曲片
２１  引き紐
【図１】
2006140069.tif 000003
【図２】
2006140069.tif 000004
【図３】
2006140069.tif 000005
【図４】
2006140069.tif 000006